(57)【要約】【課題】レンズ鏡筒全体を保護して手かけを防止したり故障や破損を防止することができるレンズフード及びカメラを提供する。【解決手段】レンズ鏡筒７０は、電源スイッチ５１がオフの時には、カメラ本体と一体に形成された保護カバー７２内に収容されており、電源スイッチ５１がオンになると、レンズ鏡筒７０が前方に繰り出されて保護カバー７２から露出された状態となる。保護カバー７２は、レンズフード７４が装着されたことを検出するための装着検出装置７６を備えており、レンズフード７４は、レンズフード７４が装着されたことを装着検出装置７６に検出させるための検出部材７８を備えている。レンズフード７４が保護カバー７２に装着されると、電源スイッチ５１がオフの場合でもレンズ鏡筒７０が前方に繰り出される。レンズフード７４が取り外された場合には、レンズ鏡筒７０は保護カバー７２内に沈銅する。【選択図】　　　図１
2004077660.tif 000002
【特許請求の範囲】
【請求項１】
被写体の撮影画像を記録するための記録手段に前記被写体の像を結像させる撮影レンズと、前記撮影レンズを収容するレンズ鏡筒と、前記レンズ鏡筒を保護する保護カバーと、電源がオンされた場合に前記レンズ鏡筒が前記保護カバーの前方に繰り出すように制御する制御手段と、を備えたカメラの前記保護カバーに着脱可能なレンズフードであって、
前記保護カバーの前方に繰り出した状態の前記レンズ鏡筒全体を覆うと共に、前記カメラにおいて装着したことを検知させるための検知部材を備えたことを特徴とするレンズフード。
【請求項２】
前記撮影画像の撮影画角を変更するためのコンバージョンレンズを着脱可能であることを特徴とする請求項１記載のレンズフード。
【請求項３】
被写体の撮影画像を記録するための記録手段に前記被写体の像を結像させる撮影レンズと、
前記撮影レンズを収容するレンズ鏡筒と、
前記レンズ鏡筒を保護すると共に、前記請求項１又は請求項２記載のレンズフードを着脱可能な保護カバーと、
前記レンズフードが前記保護カバーに装着されたことを検出する検出手段と、電源オフの状態で前記レンズフードが装着されたことを検出した場合には、前記レンズ鏡筒が前記保護カバーの前方に繰り出すように制御する制御手段と、
を備えたカメラ。
【請求項４】
前記制御手段は、前記レンズフードが外された場合には、前記レンズ鏡筒が前記保護カバー内に沈銅するように制御することを特徴とする請求項３記載のカメラ。
【請求項５】
前記制御手段は、電源オンの状態で前記レンズフードが外された場合には、前記レンズ鏡筒が前記保護カバー内に沈銅するように制御すると共に電源をオフするように制御することを特徴とする請求項４記載のカメラ。
【発明の詳細な説明】
【０００１】
【発明の属する技術分野】
本発明は、レンズフード及びカメラに係り、特に、撮影時に前方に繰り出した撮影レンズを収容するレンズ鏡筒を保護するレンズフード、及び、このレンズフードを装着可能なカメラに関する。
【０００２】
【従来の技術】
従来、電源オフ時には、撮影レンズを収容するレンズ鏡筒がレンズ鏡筒を保護する保護カバー内に沈銅された状態となり、電源オン時にはレンズ鏡筒が保護カバーよりも前方に繰り出されるカメラが知られている。
【０００３】
このようにレンズ鏡筒が前方に繰り出す構造のカメラでは、レンズ鏡筒が前方に移動している最中に不用意に撮影者の手が触れたりすることによってレンズ鏡筒の動きが妨げられたり、レンズ鏡筒が前方に繰り出した状態で何らかの外力が加わった場合に最悪の場合にはレンズ鏡筒が壊れる場合があった。
【０００４】
このような問題を解決するため、例えば特開平９−１２７５６９号公報には、電源オン時に、レンズ鏡筒と共に前方に繰り出してレンズ鏡筒の一部を覆う鏡筒手かけ防止カバーを備えたカメラが記載されている。
【０００５】
【発明が解決しようとする課題】
しかしながら、上記従来技術に記載されたカメラでは、レンズ鏡筒の根元の一部分しか保護されず、レンズ鏡筒の前方部分は保護されないため、レンズ鏡筒の前方部分を不用意に触れたり外力が加わった場合に故障したり破損する場合がある、という問題があった。
【０００６】
本発明は上記問題点を解決するために成されたものであり、レンズ鏡筒全体を保護して手かけを防止したり故障や破損を防止することができるレンズフード、及び、このレンズフードを装着可能なカメラを提供することを目的とする。
【０００７】
【課題を解決するための手段】
上記目的を達成するために、請求項１記載のレンズフードは、被写体の撮影画像を記録するための記録手段に前記被写体の像を結像させる撮影レンズと、前記撮影レンズを収容するレンズ鏡筒と、前記レンズ鏡筒を保護する保護カバーと、電源がオンされた場合に前記レンズ鏡筒が前記保護カバーの前方に繰り出すように制御する制御手段と、を備えたカメラの前記保護カバーに着脱可能なレンズフードであって、前記保護カバーの前方に繰り出した状態の前記レンズ鏡筒全体を覆うと共に、前記カメラにおいて装着したことを検知させるための検知部材を備えたことを特徴とする。
【０００８】
この発明に係るレンズフードは、被写体の撮影画像を記録するための記録手段に被写体の像を結像させる撮影レンズと、撮影レンズを収容するレンズ鏡筒と、レンズ鏡筒を保護する保護カバーと、電源がオンされた場合にレンズ鏡筒が保護カバーの前方に繰り出すように制御する制御手段と、を備えたカメラの保護カバーに着脱可能なレンズフードである。
【０００９】
このレンズフードは、カメラの保護カバーに装着された場合には、保護カバーの前方に繰り出した状態のレンズ鏡筒全体を覆うことができる。これにより、レンズ鏡筒に不用意に手をかけたり何らかの外力がレンズ鏡筒に加わることを防ぐことができ、レンズ鏡筒が故障したり破損したりするのを防ぐことができる。また、レンズフードによりグリップ感やホールド感を向上させることができる。また、保護カバーから着脱可能であるため、使用後はレンズフードを外して持ち運びすることができ、利便性を向上させることができる。また、撮影レンズへの光かぶり（フレア）を低減することもできる。
【００１０】
さらに、カメラにおいて装着したことを検知させるための検知部材を備えているため、カメラ側でレンズフードが装着したことを容易に検知することができ、レンズ鏡筒の沈銅制御が容易となる。
【００１１】
なお、請求項２に記載したように、前記撮影画像の撮影画角を変更するためのコンバージョンレンズを着脱可能である構成としてもよい。すなわち、レンズフードの一端をカメラ側に設けられた保護カバーと着脱可能な構成とし、レンズフードの他端を望遠用又は広角用のコンバージョンレンズを着脱可能な構成とする。これにより、レンズフードはコンバージョンレンズ装着用のアダプターとして機能する。
【００１２】
なお、レンズフードに撮影画像の撮影画角を変更するためのレンズをさらに備えた構成としてもよい。これにより、レンズ鏡筒を保護する機能と画角を変更する機能とを兼用することができる。
【００１３】
請求項３記載のカメラは、被写体の撮影画像を記録するための記録手段に前記被写体の像を結像させる撮影レンズと、前記撮影レンズを収容するレンズ鏡筒と、前記レンズ鏡筒を保護すると共に、前記請求項１又は請求項２記載のレンズフードを着脱可能な保護カバーと、前記レンズフードが前記保護カバーに装着されたことを検出する検出手段と、電源オフの状態で前記レンズフードが装着されたことを検出した場合には、前記レンズ鏡筒が前記保護カバーの前方に繰り出すように制御する制御手段と、を備えたことを特徴とする。
【００１４】
このカメラは、被写体の撮影画像を記録するための記録手段に被写体の像を結像させる撮影レンズを備えている。ここで、記録手段は、例えば銀塩式カメラの倍は写真フィルムを用いることができ、デジタルカメラの場合には、ＣＣＤ等の撮像素子を用いることができる。
【００１５】
保護カバーは、撮影レンズを収容するレンズ鏡筒を保護すると共に、請求項１又は請求項２記載のレンズフードを着脱可能に構成されている。レンズ鏡筒は、例えばレンズフードが装着されていない状態では、電源オン時には保護カバーの前方に繰り出された状態となり、電源オフ時には、保護カバー内に沈銅した状態となる。
【００１６】
レンズフードは、例えば一般的なカメラのマウントに交換レンズが装着される構造と同様の構造により保護カバーに装着することができる。また、レンズフードの内径が保護カバーの外径と略一致した構造とし、レンズフードを保護カバーに押し込むことによって装着される構成としてもよい。
【００１７】
検出手段は、レンズフードが保護カバーに装着されたことを検出する。すなわち、レンズフードに設けられた検知部材を検知することによりレンズフードが保護カバーに装着されたことを検出する。例えば、レンズフードに設けられた検知部材を導電性部材とし、この導電性部材との導通を検出することによりレンズフードが装着されたことを検出することができる。
【００１８】
制御手段は、電源オフの状態でレンズフードが装着されたことを検出した場合には、レンズ鏡筒が保護カバーの前方に繰り出すように制御する。これにより、次に電源オフした時には既にレンズ鏡筒が保護カバーの前方に繰り出されているため、撮影準備が完了するまでの時間を短縮することができる。
【００１９】
また、請求項４に記載しように、前記制御手段は、前記レンズフードが外された場合には、前記レンズ鏡筒が前記保護カバー内に沈銅するように制御するようにしてもよい。このように、電源のオンオフに拘わらず、レンズフードが外された場合には、レンズ鏡筒が保護カバー内に沈銅することにより、レンズ鏡筒に不用意に手をかけたり、外力が加わるのを極力避けることができる。
【００２０】
また、請求項５に記載したように、前記制御手段は、電源オンの状態で前記レンズフードが外された場合には、前記レンズ鏡筒が前記保護カバー内に沈銅するように制御すると共に電源をオフするように制御するようにしてもよい。
【００２１】
【発明の実施の形態】
以下、図面を参照して本発明の実施の形態の一例を詳細に説明する。本実施の形態はデジタルカメラに本発明を適用したものである。
【００２２】
図１（Ａ）には、本発明に係るデジタルカメラ１０の側面図を示した。デジタルカメラ１０は、各部への電力供給をオンオフするための電源スイッチ５１及び撮影レンズを収容するレンズ鏡筒７０を備えている。レンズ鏡筒７０は、電源スイッチ５１がオフの時には、図１（Ａ）に示すように、カメラ本体と一体に形成された保護カバー７２内に収容されている。
【００２３】
そして、電源スイッチ５１がオンになると、図１（Ｂ）に示すように、レンズ鏡筒７０が前方に繰り出されて保護カバー７２から露出された状態となり、撮影可能な状態となる。
【００２４】
このようなデジタルカメラ１０の保護カバー７２には、図１（Ｃ）に示すようなレンズフード７４を装着可能となっている。保護カバー７２は、レンズフード７４が装着される側にレンズフード７４が装着されたことを検出するための装着検出装置７６を備えている。また、レンズフード７４は、保護カバー７２側に、レンズフード７４が装着されたことを装着検出装置７６に検出させるための検知部材７８が設けられている。
【００２５】
レンズフード７４は、例えば図１（Ｃ）に示すように、保護カバー７２の凸部７２Ａがレンズフード７４の内側に嵌め合わされることにより保護カバー７２に装着される。これは、図２に示すように、保護カバー７２の凸部７２Ａの外径ｒがレンズフード７４の内径と略一致するように設計することにより実現できる。また、図３に示すように、保護カバー７２の凸部７２Ａが雄ねじ構造となっており、レンズフード７４の内側が凸部７２Ａに対応した雌ねじ構造となっていてもよい。また、一般的なカメラのマウントに取り付けられるズームレンズの取り付け構造と同様の構造としてもよい。
【００２６】
なお、上記の何れの場合も、レンズフード７４を保護カバー７２に取り付けた時に、装着検出装置７６の位置と検知部材７８の位置とが一致するように設計される。検出方法としては、例えば、検知部材７８を導電性部材で構成し、装着検出装置７６は、この検知部材７８との導通を検出することによりレンズフード７４の装着を検出することができる。また、装着検出装置７６に、例えば機械的なスイッチを設け、レンズフード７４が装着された時にこのスイッチがオンすることにより装着を検出する構成としてもよい。
【００２７】
次に、デジタルカメラ１０の内部構成について図４に示すブロック図を参照して説明する。
【００２８】
デジタルカメラ１０の撮影光学系１２は撮影レンズ１４及び絞り１６を含んでいる。撮影レンズ１４は、１枚又は複数枚のレンズで構成され、例えば単一の焦点距離（固定焦点）のレンズで構成されるが、焦点距離を可変にすることができるズームレンズを用いてもよい。
【００２９】
撮影光学系１２を介してＣＣＤ１８の受光面に結像された被写体像は、各センサで入射光量に応じた量の信号電荷に変換される。このようにして蓄積された信号電荷は、ＣＣＤ駆動回路２０から加えられるＣＣＤ駆動パルスによって読み出され、信号電荷に応じた電圧信号（アナログ画像信号）として順次ＣＣＤ１８から出力される。
【００３０】
ＣＣＤ１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１８は、シャッターゲートパルスによって各センサに蓄積される電荷の蓄積時間（シャッタースピード）を制御する、いわゆる電子シャッター機能を有している。
【００３１】
ＣＣＤ１８から読み出された信号は、ＣＤＳ回路２２において相関二重サンプリング（ＣＤＳ）処理されるとともに、Ｒ，Ｇ，Ｂの各色信号に色分離処理され、各色信号の信号レベルの調整（プリホワイトバランス処理）が行われる。
【００３２】
これら所定のアナログ信号処理を経た画像信号は、Ａ／Ｄ変換器２４に加えられ、該Ａ／Ｄ変換器２４によりＲ，Ｇ，Ｂのデジタル信号に変換された後、メモリ２６に格納される。
【００３３】
タイミング信号発生回路（ＴＧ）２８は、ＣＰＵ３０からのコマンドに応じてＣＣＤ駆動回路２０、ＣＤＳ回路２２及びＡ／Ｄ変換器２４に対して適宜のタイミング信号を与えており、各回路はタイミング信号発生回路２８から加えられるタイミング信号により同期して駆動されるようになっている。
【００３４】
ＣＰＵ３０は、デジタルカメラ１０の各回路を統括制御する制御部（制御手段）であり、バス３２を介してゲイン調整回路３４、ガンマ補正回路３６、輝度・色差信号処理回路（ＹＣ処理回路という。）３８、圧縮伸張回路４０、メモリカード４２のカードインターフェース４４、表示部４６を駆動する表示用ドライバー４８、及び装着検出装置７６等と接続されている。
【００３５】
ＣＰＵ３０は操作部５０からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００３６】
操作部５０には、前述した電源スイッチ５１、画像の記録開始の指示を与えるレリーズボタン、カメラのモード選択手段、ズーム操作手段、その他の各種の入力手段が含まれる。これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。操作部５０はカメラ本体に配設されていてもよいし、リモコン送信機としてカメラ本体と分離した構成にすることも可能である。
【００３７】
ＣＰＵ３０はＣＣＤ１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００３８】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。したがって、デジタルカメラ１０の撮影レンズ１４を被写体に向けるだけで、最適な露出調整が行われるとともに、ピント合わせが自動的に行われる。
【００３９】
撮影記録時においては、レリーズボタンの「半押し」時に上述した測光動作を複数回繰り返して正確な撮影ＥＶを求め、この撮影ＥＶに基づいて撮影時の絞り値とシャッタースピードを最終的に決定する。そして、レリーズボタンの「全押し」時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１８から取得される画像信号に基づいて制御する方法の他、周知の測光センサやＡＦ投光／受光センサからなる測距センサ等を用いてもよい。
【００４０】
また、このデジタルカメラ１０はストロボ発光装置５４と、調光用の受光素子５６を有し、操作部５０に含まれるストロボモード設定ボタンの操作に応じて、低輝度時にストロボ発光装置５４を自動的に発光させる「低輝度自動発光モード」、被写体輝度にかかわらずストロボ発光装置５４を発光させる「強制発光モード」、又はストロボ発光装置５４の発光を禁止させる「発光禁止モード」等に設定される。
【００４１】
ＣＰＵ３０はユーザーが選択したストロボモードに応じて、ストロボ発光装置５４のメインコンデンサの充電制御や、発光管（例えば、キセノン管）への放電（発光）タイミングを制御するとともに、受光素子５６からの測定結果に基づいて発光停止の制御を行う。受光素子５６はストロボの発光によって照らされる被写体からの反射光を受光し、受光量に応じた電気信号に変換する。受光素子５６の信号は図示せぬ積分回路により積算され、積算受光量が所定の適正受光量に達した時にストロボの発光が停止される。
【００４２】
Ａ／Ｄ変換器２４から出力されたデータは前記メモリ２６に格納されるとともに、積算回路６０に加えられる。積算回路６０は、撮影画面を複数のブロック（例えば、８×８の６４個のブロック）に分割し、各ブロック毎に受入したＧ信号の積算演算を行う。なお、Ｒ、Ｇ、Ｂのデータから輝度信号（Ｙ信号）を生成して、輝度信号の積算演算を行ってもよい。また、積算回路６０はＡＥ演算回路で兼用することもできる。積算回路６０で得られた積算値の情報（演算結果）はＣＰＵ３０に入力される。
【００４３】
ＣＰＵ３０は積算回路６０からの情報に基づき、所定のアルゴリズムに従って撮影画面の評価値Ｅを算出し、求めた評価値Ｅを用いてゲイン調整回路３４におけるゲイン値（増幅率）を決定する。ＣＰＵ３０は決定したゲイン値に従ってゲイン調整回路３４におけるゲイン量を制御する。
【００４４】
メモリ２６に記憶されたＲ、Ｇ、Ｂの画像データはゲイン調整回路３４に送られ、ここで増幅処理される。増幅処理された画像データは、ガンマ補正回路３６において、ガンマ補正処理が施された後、ＹＣ処理回路３８へ送られ、ＲＧＢデータから輝度信号（Ｙ信号）及び色差信号（Ｃｒ，Ｃｂ信号）に変換される。
【００４５】
ＹＣ処理回路３８において生成された輝度・色差信号（ＹＣ信号と略記する）は、メモリ２６に書き戻される。メモリ２６に記憶されたＹＣ信号は表示用ドライバー４８に供給され、所定方式の信号（例えば、ＮＴＳＣ方式のカラー複合映像信号）に変換されて表示部４６に出力される。表示部４６には液晶ディスプレイその他のカラー表示可能な表示装置が用いられる。なお、表示部４６はＹＣ信号入力対応のタイプのものを適用してもよいし、ＲＧＢ信号入力タイプのものを適用してもよく、表示装置に対応したドライバーが適用される。
【００４６】
ＣＣＤ１８から出力される画像信号によって画像データが定期的に書き換えられ、その画像データから生成される映像信号が表示部４６に供給されることにより、ＣＣＤ１８が捉える画像がリアルタイムに動画像（ライブ画像）として、又はリアルタイムではないが、ほぼ連続した画像として表示部４６に表示される。
【００４７】
表示部４６は電子ビューファインダーとして利用でき、撮影者は表示部４６の表示画像又は図示せぬ光学ファインダーによって撮影画角を確認することができる。レリーズボタンの押下操作など所定の記録指示（撮影開始指示）操作に呼応して、記録用の画像データの取り込みが開始される。
【００４８】
撮影者が操作部５０から撮影記録の指示を入力すると、ＣＰＵ３０は必要に応じて圧縮伸張回路４０にコマンドを送り、これにより圧縮伸張回路４０はメモリ２６上のＹＣデータをＪＰＥＧその他の所定の形式に従って圧縮する。圧縮された画像データはカードインターフェース４４を介してメモリカード４２に記録される。
【００４９】
非圧縮の画像データを記録するモード（非圧縮モード）が選択されている場合には、前記圧縮伸張回路４０による圧縮処理を実施せずに、非圧縮のまま画像データがメモリカード４２に記録される。
【００５０】
本実施の形態のデジタルカメラ１０は、画像データを保存する手段としてメモリカード４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００５１】
また、再生モード時にはメモリカード４２から読み出された画像データが圧縮伸張回路４０によって伸張処理され、表示用ドライバー４８を介して表示部４６に出力される。
【００５２】
なお、ＣＣＤ１８は本発明の記録手段に相当し、撮影レンズ１４は本発明の撮影レンズに相当し、レンズ鏡筒７０は本発明のレンズ鏡筒に相当し、保護カバー７２は本発明の保護カバーに相当し、レンズフード７４は本発明のレンズフードに相当し、装着検出装置７６は本発明の検出手段に相当し、検知部材７８は本発明の検知部材に相当し、ＣＰＵ３０は本発明の制御手段に相当する。
【００５３】
次に、電源のオンオフ状態及びレンズフード７４の装着状態に基づくレンズ鏡筒７０の状態について、図５に示す状態遷移図を参照して説明する。
【００５４】
図５に示すように、電源スイッチ５１がオフ、レンズフード７４が非装着、レンズ鏡筒７０が保護カバー７２内に沈銅した状態Ｓ１、すなわち図１（Ａ）に示す状態において、電源スイッチ５１がオンされると、レンズ鏡筒７０が前方に切り出した状態Ｓ２、すなわち図１（Ｂ）に示す状態となる。この状態Ｓ２で電源スイッチ５１をオフすると、前方に繰り出していたレンズ鏡筒７０が保護カバー７２内に沈銅し、状態Ｓ１へ移行する。また、状態Ｓ２でレンズフード７４が装着された場合には、状態Ｓ４へ移行する。すなわち電源スイッチ５１がオンのため、レンズ鏡筒７０は前方に繰り出したままとなる。
【００５５】
また、状態Ｓ１で図１（Ｃ）に示すようにレンズフード７４を装着すると、図１（Ｄ）に示すように、レンズ鏡筒７０が前方に繰り出した状態Ｓ３へ移行する。このように、電源がオフの状態でレンズフード７４が装着された場合には、レンズ鏡筒７０が前方に繰り出すが、レンズ鏡筒７０はレンズフード７４によって全て覆われているため、誤ってレンズ鏡筒７０に手を掛けたり外力が直接加わるのを防ぐことができるため、故障や破損を防ぐことができる。
【００５６】
そして、図５に示すように、状態Ｓ３の状態で電源をオンした場合には、状態Ｓ４に移行するが、既にレンズ鏡筒７０は前方に繰り出された状態であるため、すぐに撮影を行うことができる。また、状態Ｓ４の状態で電源スイッチ５１をオフにした場合には、状態Ｓ３へ移行する。すなわち、レンズフード７４が装着された状態で電源スイッチ５１がオフになっても、レンズ鏡筒７０を沈銅させず、前方に繰り出した状態を維持する。
【００５７】
このように、レンズフード７４が装着された状態では、電源のオンオフに関係なくレンズ鏡筒７０が前方に繰り出した状態となるため、電源をオンした時から撮影可能な状態になるまでの時間を短縮することができる。
【００５８】
そして、状態Ｓ３又は状態Ｓ４の状態でレンズフード７４を取り外した場合には、状態Ｓ１へ移行する。すなわち、レンズフード７４が取り外された場合には、電源のオンオフに関係なく、レンズ鏡筒７０を保護カバー７２内に沈銅させると共に、電源をオフする。これにより、レンズ鏡筒７０が保護カバー７２の前方に繰り出されたままの状態とならないようにすることができ、手掛けや外力が加わるのを防ぐことができる。なお、電源をオフにせず、レンズ鏡筒７０を沈銅させるだけにしてもよい。
【００５９】
次に、本実施の形態の作用として、ＣＰＵ３０で実行される制御ルーチンについて、図６に示すフローチャートを参照して説明する。
【００６０】
電源スイッチ５１がオフからオンになった場合又は電源スイッチ５１がオンからオフになった場合には、電源スイッチ５１の切り替えを表す切り替え信号による割り込みが発生し、図示しない割り込み機構によってＣＰＵ３０に電源スイッチ５１の状態が通知され、図６に示す制御ルーチンが実行される。
【００６１】
また、レンズフード７４が装着された場合又はレンズフード７４が外された場合には、装着検出装置７６からのレンズフード７４の装着状態を表す装着信号による割り込みが発生し、図示しない割り込み機構によってＣＰＵ３０にレンズフード７４の装着状態が通知され、図６に示す制御ルーチンが実行される。
【００６２】
図６に示すように、ステップ１００では、電源スイッチ５１がオンされたか否かが判断される。そして、電源スイッチ５１がオンされた場合には、ステップ１００の判断が肯定され、ステップ１０２へ移行する。一方、電源スイッチ５１がオンされたのではない場合には、ステップ１００の判断が否定され、ステップ１１２へ移行する。
【００６３】
ステップ１０２では、レンズフード７４が非装着であるか否かが判断される。そして、レンズフード７４が非装着の場合には、ステップ１０２の判断が肯定され、ステップ１０４でレンズ鏡筒７０を前方へ駆動させる。すなわち、状態Ｓ１から状態Ｓ２へ移行する。一方、レンズフード７４が装着されている場合には、ステップ１０２の判断が否定され、ステップ１０６へ移行する。すなわち、状態Ｓ３から状態Ｓ４へ移行する。
【００６４】
また、電源スイッチ５１がオンされたのではない場合には、ステップ１１２において、電源スイッチ５１がオフされたか否かが判断される。そして、電源スイッチ５１がオフされた場合には、ステップ１１２の判断が肯定され、ステップ１１４へ移行する。一方、電源スイッチ５１がオフされていない場合には、ステップ１１２の判断が否定され、ステップ１０６へ移行する。
【００６５】
ステップ１１４では、レンズフード７４が非装着であるか否かが判断される。そして、レンズフード７４が非装着の場合には、ステップ１１４の判断が肯定され、ステップ１１６でレンズ鏡筒７０を保護カバー７２内に沈銅させる。すなわち、状態Ｓ２から状態Ｓ１へ移行する。一方、レンズフード７４が装着されている場合には、ステップ１１４の判断が否定され、ステップ１０６へ移行する。すなわち、状態Ｓ４から状態Ｓ３へ移行する。
【００６６】
ステップ１０６では、レンズフード７４が装着されたか否かが判断される。そして、レンズフード７４が装着された場合には、ステップ１０６の判断が肯定され、ステップ１０８へ移行する。一方、レンズフード７４が装着されなかった場合、すなわちレンズフード７４が取り外された場合には、ステップ１０６の判断が否定され、ステップ１１８へ移行する。
【００６７】
ステップ１０８では、電源がオフであるか否かが判断される。そして、電源がオフである場合には、ステップ１０８の判断が肯定され、ステップ１１０でレンズ鏡筒７０を前方へ繰り出す。すなわち、状態Ｓ１から状態Ｓ２へ移行する。このように、レンズフード７４が装着された場合には、電源がオフの状態でもレンズ鏡筒７０を前方に繰り出すため、次に電源をオンした場合に、撮影可能な状態になるまでの時間を短縮することができる。
【００６８】
一方、電源がオフでない場合には、ステップ１０８の判断が否定され、レンズ鏡筒７０はそのままで本ルーチンを終了する。すなわち、状態Ｓ２から状態Ｓ４へ移行する。
【００６９】
また、レンズフード７４が装着されたのではない場合、すなわちレンズフード７４が取り外された場合には、ステップ１１８において、レンズ鏡筒７０を保護カバー７２内に沈銅させる。このように、レンズフード７４が取り外された場合には、電源のオンオフに関係なく、レンズ鏡筒７０を保護カバー７２内に沈銅させるので、レンズ鏡筒７０が保護カバー７２の前方に繰り出されたままの状態となるのを防ぐことができ、撮影者が不用意に手をかけたりして外力が直接加わるのを防ぐことができる。
【００７０】
次のステップ１２０では、電源がオンされているか否かを判断する。そして、電源がオンされている場合には、ステップ１２０の判断が肯定され、次のステップ１２２において、電源をオフする。すなわち、状態Ｓ３又は状態Ｓ４から状態Ｓ１へ移行する。一方、電源がオフの場合には、ステップ１２０の判断が否定され、本ルーチンを終了する。
【００７１】
このように、本実施の形態では、レンズフード７４が保護カバー７２に装着された場合には、保護カバー７２の前方に繰り出した状態のレンズ鏡筒７０の全体を覆うことができるため、レンズ鏡筒７０に不用意に手をかけたり何らかの外力がレンズ鏡筒に加わることを防ぐことができ、レンズ鏡筒が故障したり破損したりするのを防ぐことができる。また、レンズフード７４が装着された場合には、電源がオフの状態でもレンズ鏡筒７０を前方に繰り出すため、次に電源をオンした場合に、撮影可能な状態になるまでの時間を短縮することができる。
【００７２】
さらに、レンズフード７４によりグリップ感やホールド感を向上させることができる。また、保護カバーから着脱可能であるため、使用後はレンズフードを外して持ち運びすることができ、利便性を向上させることができる。また、撮影レンズへの光かぶり（フレア）を低減することもできる。
【００７３】
なお、図７に示すように、レンズフード７４に凸部７４Ａを設け、撮影画角を広角側又は望遠側に変更するためのコンバージョンレンズを取り付け可能としてもよい。この取り付け構造は、例えば前述したレンズフード７４の保護カバー７２への取り付け構造と同様の構造とすることができる。これにより、レンズフード７４にコンバージョンレンズ装着用のアダプターとしての機能を兼用させることができる。また、レンズフード７４に撮影画角を広角側又は望遠側に変更するためのレンズを備えてもよい。
【００７４】
また、本実施の形態ではデジタルカメラを例に説明したが、写真フィルムに撮影画像を記録する銀塩式カメラにも本発明を適用可能であることはいうまでもない。
【００７５】
【発明の効果】
以上説明したように本発明によれば、レンズ鏡筒全体を保護して手かけを防止したり故障や破損を防止することができることができる、という効果がある。
【図面の簡単な説明】
【図１】レンズ鏡筒の沈銅制御について説明するためのデジタルカメラの側面図である。
【図２】レンズフードの取り付け構造について説明するための図である。
【図３】レンズフードの取り付け構造の他の例について説明するための図である。
【図４】デジタルカメラの回路ブロック図である。
【図５】レンズ鏡筒の状態の変化について説明するための状態遷移図である。
【図６】ＣＰＵで実行される制御ルーチンのフローチャートである。
【図７】コンバージョンレンズを装着した状態のデジタルカメラの側面図である。
【符号の説明】
１０　デジタルカメラ
５１　電源スイッチ
７０　レンズ鏡筒
７２　保護カバー
７４　レンズフード
７６　装着検出装置
７８　検知部材
【図１】
2004077660.tif 000003
【図２】
2004077660.tif 000004
【図３】
2004077660.tif 000005
【図４】
2004077660.tif 000006
【図５】
2004077660.tif 000007
【図６】
2004077660.tif 000008
【図７】
2004077660.tif 000009